(57)【要約】熱遷移中プラテン上に配置されたワークピースの背面への損傷を最小限に抑えるためのシステムおよび方法が開示される。このシステムは、熱遷移中クランプ電圧と背面ガス圧力を変調するコントローラを含む。クランプ電圧を変調することによって、ワークピースが特定の時間にプラテンにしっかりと保持されないかもしれないが、プラテンの上面に存在する粒子によって引き起こされる可能性のある損傷を最小限に抑えることができる。さらに、背面ガス圧の変調はそれでもプラテンとワークピースの間の良好な熱伝導性を可能にする。
2021501470.tif 000002
【特許請求の範囲】
【請求項１】
熱遷移中のワークピースへの損傷を最小限に抑えるためのシステムであって、
１つ以上の開口部を有する上面を備えるプラテンと、
それぞれの開口部とそれぞれ連通する複数の導管と、
前記複数の導管と連通するとともに、背面ガス供給システムと連通するバルブシステムと、
前記上面にワークピースを保持するクランプ力を生成するために前記プラテン内に配置された１つ以上の電極と、
電極電源と、
前記バルブシステムと通信して前記プラテンの前記上面への背面ガスの流れを変調するとともに、前記電極電源と通信して前記ワークピースに加えられるクランプ力を変調するコントローラと、
を備える、システム。
【請求項２】
前記電極電源システムは、第１のクランプ力を前記ワークピースに加えるための第１の電圧と、前記第１のクランプ力より低い第２のクランプ力を前記ワークピースに加えるための第２の電圧を出力する、請求項１に記載のシステム。
【請求項３】
前記バルブシステムは、背面ガスを第１の圧力レベルおよび前記第１の圧力レベルより低い第２の圧力レベルで供給するように構成されている、請求項２に記載のシステム。
【請求項４】
前記第１のクランプレベルが前記ワークピースに加えられているときに、前記第１の圧力レベルが供給される、請求項３に記載のシステム。
【請求項５】
前記第２のクランプ力は、前記第１のクランプ力の０％から５０％の間である、請求項２に記載のシステム。
【請求項６】
前記コントローラが、前記クランプ力および前記背面ガスの流れを１０Ｈｚ未満の周波数で変調する、請求項１に記載のシステム。
【請求項７】
コントローラによって実行されると、前記コントローラに、
プラテン上に配置されたワークピースに加えられるクランプ力を変調させる命令、および
前記プラテン上に前記ワークピースが配置されている間、前記プラテンの上面への背面ガスの流れを変調させる命令、
を含む、非一時的なコンピュータ可読記憶媒体。
【請求項８】
前記コントローラは電極電源と通信し、前記命令は、前記コントローラによって実行されると、前記電極電源に、第１のクランプ力を前記ワークピースに加えるために第１の電圧および前記第1のクランプ力より低い第２のクランプ力をワークピースに加えるために第２の電圧を出力させる、請求項７に記載の非一時的なコンピュータ可読記憶媒体。
【請求項９】
前記コントローラはバルブシステムと通信し、前記命令は、前記コントローラによって実行されると、前記バルブシステムに、背面ガスを第１の圧力レベルで、および前記第１の圧力レベルより低い第２の圧力レベルで供給させる、請求項８に記載の非一時的なコンピュータ可読記憶媒体。
【請求項１０】
前記命令は、前記コントローラによって実行されると、前記第１のクランプ力が前記ワークピースに加えられているときに前記第１の圧力レベルが供給されるようにする、請求項９に記載の非一時的なコンピュータ可読記憶媒体。
【請求項１１】
前記第２のクランプ力は、前記第１のクランプ力の０％から５０％の間である、請求項８に記載の非一時的なコンピュータ可読記憶媒体。
【請求項１２】
熱遷移中のワークピースへの損傷を最小限に抑える方法であって、
加熱されたプラテン上にワークピースを配置するステップと、
前記ワークピースが前記加熱されたプラテン上に配置されている間、クランプ力と前記加熱されたプラテンの上面への背面ガスの流れを変調するステップと、
前記ワークピースが目的の温度に達したとき、前記ワークピースを取り外すステップと、
を含む、方法。
【請求項１３】
前記クランプ力は、第１のクランプ力と該第１のクランプ力より低い第２のクランプ力との間で変調される、請求項１２に記載の方法。
【請求項１４】
前記背面ガスの流れが、第１の圧力レベルと該第１の圧力レベルより低い第２の圧力レベルとの間で変調される、請求項１３に記載の方法。
【請求項１５】
前記第１のクランプ力が前記ワークピースに加えられているときに、前記第１の圧力レベルが供給される、請求項１４に記載の方法。
【発明の詳細な説明】
【技術分野】
【０００１】
本開示の実施形態は、ワークピースが加熱または冷却されている間にワークピースの背面に引き起こされる損傷を最小限に抑えるためのシステムおよび方法に関する。
【背景技術】
【０００２】
半導体デバイスの製造には、複数の個別の複雑なプロセスが含まれる。それらのプロセスの１つは、ワークピースから材料を除去するエッチングプロセスであり得る。別のプロセスは、ワークピース上に材料を堆積する堆積プロセスであり得る。さらに別のプロセスは、ワークピースにイオンを注入さするイオン注入プロセスであり得る。
【０００３】
いくつかの実施形態では、これらのプロセスの１つまたは複数を室温と異なる温度で実行するのが有益であり得る。例えば、特定の実施形態では、イオン注入プロセスは高温で最もよく実行することができる。他の実施形態では、このプロセスは低温で最もよく実行することができる。
【０００４】
このプロセスのためにワークピースを準備するには、予熱または冷却ステーションが使用され得る。特定の実施形態では、ワークピースはプラテン上に配置され、その後プラテンの温度がワークピースの温度を制御するために変更される。この熱遷移がワークピースの膨張または収縮を引き起こす可能性がある。
【０００５】
場合によっては、ワークピースがプラテン上に置かれている間に損傷され得る。たとえば、ワークピースの温度が変化すると、ワークピースはプラテンに対して膨張または収縮する。ワークピースの寸法が変化すると、ワークピースとプラテンの間に相対運動が生じるため、プラテン上にある粒子がワークピースの底面を引っかいたり、傷つけたりすることがある。その結果、放射状の傷やガウジ痕が発生することがある。引っかき傷は、デバイス全体の歩留まりを低下させ、したがって、半導体コンポーネントの製造コストを増加させる可能性がある。
【０００６】
したがって、これらの熱遷移中のワークピース背面への損傷を最小限に抑えるためのシステムと方法があれば有益であろう。また、このシステムがワークピースを所望の温度にする時間に大きな影響を与えなかった場合も有利であろう。
【発明の概要】
【０００７】
熱遷移中プラテン上に配置されたワークピースの背面への損傷を最小限に抑えるためのシステムおよび方法が開示される。このシステムは、熱遷移中クランプ電圧と背面ガス圧力を変調するコントローラを含む。クランプ電圧を変調することによって、ワークピースが特定の時間にプラテンにしっかりと保持されないかもしれないが、プラテンの上面に存在する粒子によって引き起こされる可能性のある損傷を最小限に抑えることができる。さらに、背面ガス圧の変調はそれでもプラテンとワークピースの間の良好な熱伝導性を可能にする。
【０００８】
一実施形態によれば、熱遷移中のワークピースへの損傷を最小限に抑えるためのシステムが開示される。このシステムは、１つ以上の開口部を有する上面を備えるプラテンと、それぞれの開口部とそれぞれ連通する複数の導管と、前記複数の導管と連通するとともに、背面ガス供給システムと連通するバルブシステムと、前記上面にワークピースを保持するクランプ力を生成するために前記プラテン内に配置された１つ以上の電極と、電極電源と、前記バルブシステムと通信して前記プラテンの前記上面への背面ガスの流れを変調するとともに、前記電極電源と通信して前記ワークピースに加えられるクランプ力を変調するコントローラと、を備える。特定の実施形態では、前記電極電源システムは、第１のクランプ力を前記ワークピースに加えるための第１の電圧と、前記第１のクランプ力より低い第２のクランプ力を前記ワークピースに加えるための第２の電圧を出力する。特定の実施形態では、前記バルブシステムは、背面ガスを第１の圧力レベルでおよび前記第１の圧力レベルより低い第２の圧力レベルで供給するように構成されている。特定の実施形態では、前記第１のクランプレベルが前記ワークピースに加えられているときに、前記第１の圧力レベルが供給される。いくつかの実施形態では、前記第２のクランプ力は、前記第１のクランプ力の０％から５０％の間である。いくつかの実施形態では、前記コントローラは、前記クランプ力および前記背面ガスの流れを１０Ｈｚ未満の周波数で変調する。
【０００９】
別の実施形態によれば、命令を含む非一時的なコンピュータ可読記憶媒体が開示される。前記命令は、コントローラによって実行されると、前記コントローラに、プラテン上に配置されたワークピースに加えられるクランプ力を変調させ、前記プラテン上に前記ワークピースが配置されている間、前記プラテンの上面への背面ガスの流れを変調させる。特定の実施形態では、前記コントローラは電極電源と通信し、前記命令は、前記コントローラによって実行されると、前記電極電源に、第１のクランプ力を前記ワークピースに加えるための第１の電圧と、前記第1のクランプ力より低い第２のクランプ力を前記ワークピースに加えるための第２の電圧を出力させる。特定の実施形態では、前記コントローラはバルブシステムと通信し、前記命令は、前記コントローラによって実行されると、前記バルブシステムに、背面ガスを第１の圧力レベルで、および前記第１の圧力レベルより低い第２の圧力レベルで供給させる。特定の実施形態では、前記命令は、前記コントローラによって実行されると、前記第１のクランプ力が前記ワークピースに加えられているときに前記第１の圧力レベルが供給されるようにする。
【００１０】
別の実施形態によれば、熱遷移中のワークピースへの損傷を最小限に抑える方法が開示される。この方法は、加熱されたプラテン上にワークピースを配置するステップと、前記ワークピースが前記加熱されたプラテン上に配置されている間、クランプ力と前記加熱されたプラテンの上面への背面ガスの流れを変調するステップと、前記ワークピースが目的の温度に達したとき、前記ワークピースを取り外すステップを含む。特定の実施形態では、前記クランプ力および前記背面ガスの流れは１０Ｈｚ未満の周波数で変調される。
【００１１】
本開示のよりよい理解のために、本明細書に組み込まれた添付図面を参照されたい。
【図面の簡単な説明】
【００１２】
【図１】一実施形態による、ワークピース背面への損傷を最小限に抑えるためのシステムの断面図である。
【図２】一実施形態による、クランプ力および背面ガス圧力を示す波形を示す。
【図３】図２のシステムの動作を示すフローチャートである。
【発明を実施するための形態】
【００１３】
上記のように、半導体デバイスの製造は、エッチングプロセス、堆積プロセスおよびイオン注入などの様々なプロセスを含む。これらのプロセスの1つ以上は、温度に敏感である。いくつかの実施形態では、この半導体プロセスをワークピースに施す前に、ワークピースの温度を調節するために予熱または冷却ステーションが使用される。
【００１４】
図１は、ワークピースの底面または背面への損傷を最小限に抑えつつワークピースの温度を変化させるために使用できるシステムを示している。システム１０は、プラテン１００を含む。プラテンは、その中に配置された１つ以上の電極１１０を含む。これらの電極１１０は電極電源１２０と通電する。電極電源１２０は、ＤＣまたはＡＣ電圧を電極１１０に供給することができる。電極１１０に供給される電圧の周波数および振幅は設計によって決めることができ、本開示によって限定されない。特定の実施形態では、電極は対に配置してもよく、その場合には反対極性の電圧が電極対に供給される。
【００１５】
プラテン１００はまた、プラテン１００に埋め込まれたヒーター１３０を含むことができる。これらのヒーター１３０は、プラテン１００を所望の温度に加熱するために使用することができる。これらのヒーター１３０は抵抗素子としてよく、電流をヒーター１３０に流すとそれらの温度が上昇する。ヒーター１３０は加熱電源１３５と通電してよい。特定の実施形態では、プラテン１００が冷却ステーションの一部として使用される場合には、ヒーター１３０および加熱電源１３５は含めなくてもよい。
【００１６】
プラテン１００はまた、入口１４１および出口１４２を有する埋め込み流体チャネル１４０を含むことができる。特定の実施形態では、流体源が入口１４１と連通している。流体が入口１４１からプラテン１００に入り、流体チャネル１４０を通って、出口１４２から出ることができる。いくつかの実施形態では、この流体は冷却された、例えば冷水または液体窒素としてよい。他の実施形態では、流体は加熱された、例えば温水としてもよい。いくつかの実施形態では、流体チャネル１４０を通る流体を再循環させるためにポンプを使用してもよい。特定の実施形態では、流体チャネル１４０は、プラテン１００に含めなくてもよい。
【００１７】
背面ガスチヤネル１５０は、プラテン１００を通ってプラテン１００の上面１０１で終端させてよい。背面ガスチヤネル１５０はガス源１５５と連通してよい。ガス源１５５から背面ガスチャネル１５０へのガスの流れを制御するために、マスフローコントローラ（ＭＦＣ）などのバルブシステム１５１または単なる開閉バルブを使用してよい。背面ガスは、プラテン１００の上面１０１とワークピースの背面との間の容積に導入される。この背面ガスは、プラテン１００の上面とワークピース２０との間の熱伝導率を増加させる。特定の実施形態では、背面ガスは、約４〜８トルの圧力で供給してよい。
【００１８】
コントローラ１６０は、電極電源１２０およびバルブシステム１５１と通信することができる。コントローラ１６０は、処理ユニット１６１および関連するメモリデバイス１６２を有する。このメモリデバイス１６２は、処理ユニット１６１によって実行されると、システム１０に本明細書に記載された機能を実行させることができる命令を含む。このメモリデバイス１６２は、フラッシュＲＯＭ、電気的に消去可能なＲＯＭなどの不揮発性メモリ、または他の適切なデバイスであってよい。他の実施形態では、メモリデバイス１６２は、ＲＡＭまたはＤＲＡＭなどの揮発性メモリであってもよい。特定の実施形態では、コントローラ１６０は、汎用コンピュータ、内臓プロセッサ、または専用マイクロコントローラであってよい。コントローラ１６０の実際の実装は、この開示によって限定されない。
【００１９】
通常動作中、ワークピース２０はプラテン１００の上面１０１に配置される。次に、電極電源１２０を作動させることによって、ワークピース２０はプラテンにクランプされる。電極１１０に供給される電圧は、ワークピース２０を上面１０１に保持するクランプ力を生成する。クランプ力が加えられると、背面ガスが背面ガスチャネル１５０に提供され得る。この背面ガスは、ワークピース２０の背面とプラテン１００の上面１０１との間の容積を満たす。
【００２０】
特定の実施形態では、プラテン１００は、流体を流体チャネル１４０に流すか、またはヒーター１３０にエネルギーを与えることによって、特定の温度に維持される。このように、ワークピース２０がプラテン１００の上面１０１上に配置されると同時にワークピース２０の熱遷移が始まる。他の実施形態では、ワークピース２０が上面１０１の上に配置された後に、プラテン１００が加熱される。
【００２１】
熱遷移中のワークピース２０の背面への損傷の可能性を最小限に抑えるために、コントローラ１６０は、クランプ力と背面ガス圧力を変調することができる。図２は、クランプ力２００および背面ガス圧力２１０を例示する波形を示す。図２に示されるように、コントローラ１６０は、電極電源１２０によって供給される電圧を変調して、クランプ力をワークピースが上面１０１にしっかりと保持される第１のクランプレベル２０１から、それより低い第２のクランプレベル２０２に変化させる。特定の実施形態では、第２のクランプレベル２０２は、第１のクランプレベル２０１の０〜５０％の間とすることができる。特定の一実施形態では、第１のクランプレベル２０１は１ｋＶとすることができ、第２のクランプレベルは０ｋＶとすることができる。もちろん、他の電圧を使用してもよい。
【００２２】
クランプ力２００は、いくつかの方法で減少させることができる。一実施形態では、電極電源１２０により供給される電圧の振幅を低減する。別の実施形態では、電極１１０に供給されるＡＣ電圧のデューティサイクルを変更する。さらに別の実施形態では、電極１１０に供給される電圧の振幅とデューティサイクルの両方を変更してもよい。
【００２３】
図２に示されるように、クランプ電圧は周期信号としてよい。クランプ力の周波数は１０Ｈｚ未満、例えば０．２〜５Ｈｚの間としてよいが、他の値を使用してもよい。さらに、全時間に対する第１のクランプレベルの持続時間の比として定義されるクランプ力のデューティサイクルは、２０〜７０％の間としてよいが、他の値を使用してもよい。
【００２４】
背面ガス圧力２１０も、第１の圧力レベル２１１とそれより低い第２の圧力レベル２１２との間で変調されることに留意されたい。第１の圧力レベル２１１は４〜８トルの間とし得るが、他の値を使用してもよい。特定の実施形態では、第２の圧力レベル２１２はゼロであるが、いくつかの実施形態ではもっと大きな値を使用してもよい。
【００２５】
背面ガス圧力２１０の周波数は、クランプ力２００の周波数と同じである。いくつかの実施形態では、背面ガス圧力がワークピースを変位させたり移動させたりしないように、背面ガス圧力２１０の第１の圧力レベル２１１は、図２に示されるように、クランプ力２００が第１のクランプレベル２０１であるときに加えられる。その結果、背面ガス圧力２１０のデューティサイクルは、クランプ力２００のデューティサイクルよりも低い。
【００２６】
クランプ力２００の第１のクランプレベル２０１と背面ガス圧力２１０の第１の圧力レベル２１１との間の位相関係は、最適な性能を達成するように変調することができる。同様に、クランプ力２００の第２のクランプレベル２０２と背面ガス圧力２１０の第２の圧力レベル２１２との間の位相関係も最適な性能を達成するように変調することができる。
【００２７】
図２は台形波形を示しているが、他の波形も可能である。例えば、クランプ電圧および／または背面ガス圧力の波形は、正弦波、のこぎり波、三角波、方形波、または他の任意の周期関数とすることができる。
【００２８】
コントローラ１６０は、図２に示されるように、電極電源１２０およびバルブシステム１５１をワークピース２０が所望の温度に到達するまで変調する。所望の温度に到達すると、クランプ力および背面ガス圧力を低下させて、ワークピース２０をプラテン１００から取り外すことができる。
【００２９】
図３は、一実施形態によるシステムの動作を表すフローチャートを示す。最初に、ボックス３００に示すように、ワークピース２０がプラテン１００上に配置される。次に、ボックス３１０に示すように、クランプ力が第１のクランプレベル２０１まで増加される。次に、ボックス３２０に示すように、背面ガス圧力が第１の圧力レベル２１１まで増加され、このレベルに第１の所定の持続時間に亘り維持される。上述のように、ボックス３１０とボックス３２０の間の持続時間は、最適なシステム性能を達成するために変化させることができる。ボックス３３０において、背面ガス圧力が第２の圧力レベル２１２まで低下される。次に、ボックス３４０に示すように、クランプ力が第２のクランプレベル２０２まで低下される。上述のように、ボックス３３０とボックス３４０の間の期間は、最適なシステムパフォーマンスを達成するために変化させることができる。次に、ボックス３５０に示すように、ワークピースが所望の温度に達したかどうかのチェックが実行される。ワークピース２０が所望の温度に達した場合、クランプ力と背面ガス圧力は０に低下される。ワークピース２０の温度は、例えば温度センサ１７０を使用して、直接測定することができる。温度センサ１７０は、コントローラ１６０と通信することができ、プラテン１００の内部に、またはプラテン１００の外部に配置することができる。あるいは、温度は、例えば、ワークピース２０がプラテン１００上に配置される持続時間に基づいて、間接的に推定することもできる。次に、ボックス３６０に示すように、ワークピース２０をプラテン１００から取り外すことができる。ワークピース２０が所望の温度に達していない場合、シーケンスは、ボックス３１０に戻って継続する。ボックス３４０とボックス３１０との間の持続時間は、最適なシステム性能を達成するために変化させることができる。
【００３０】
図１は、ワークピースが熱遷移を受けている間に、そのワークピースの背面への損傷を最小限に抑えるために使用できるシステムを示している。特定の実施形態では、既存の予熱または冷却ステーションを、図２に示される動作を実行するように変更してもよい。例えば、一実施形態では、コントローラ１６０の処理ユニット１６１で実行し得る命令を含むソフトウェアプログラムを、コントローラ１６０にダウンロードすることができる。ソフトウェアプログラムは、ＣＤ ＲＯＭやメモリデバイスなどの非一時的な媒体に格納することができる。そのソフトウェアプログラムは、コントローラ１６０に配置されたメモリデバイス１６２にダウンロードすることができる。このソフトウェアプログラムは、実行時に、コントローラによって実行されたとき、本明細書に記載された図３のボックス３１０〜３５０に示すシーケンスをコントローラ１６０に実行可能にする命令を含む。
【００３１】
本明細書に記載したシステムおよび方法は、多くの利点を有する。上記のように、ワークピースが熱遷移を受けると、そのワークピースは膨張または収縮する可能性がある。この寸法の変化はプラテン上に置かれたワークピースをプラテンに対して移動させる。そしてワークピースが寸法変化するにつれて、プラテンの上面に存在し得る粒子がワークピースに擦り傷やその他の傷をつける可能性がある。本システムおよび方法は、ワークピースがプラテンの上面に対してより自由に膨張または収縮することを可能にし、これにより、ワークピースへの損傷の可能性を最小限に抑えるか排除することができる。
【００３２】
本開示は本明細書に記載の特定の実施形態によって範囲が制限されるものではない。実際に、本明細書の記載されたものに加えて、本開示の他の様々な実施形態及び変更は、前述の説明及び添付の図面から当業者には明らかである。したがって、これらの他の実施形態及び修正は、本開示の範囲内に含まれるものとする。さらに、本開示は、特定の目的のための特定の環境における特定の実装に関する説明として記載されているが、有用性はこの記載に限定されず、本開示が様々な目的のために様々な環境で有益に実装されうることを当業者は認識することができる。したがって、以下に記載される特許請求の範囲は、本明細書に記載される本開示の完全な範囲及び精神を考慮して解釈されるものである。
【図１】
2021501470.tif 000003
【図２】
2021501470.tif 000004
【図３】
2021501470.tif 000005
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
熱遷移中のワークピースへの損傷を最小限に抑えるためのシステムであって、
１つ以上の開口部を有する上面を備えるプラテンと、
前記１つ以上の開口部のそれぞれとそれぞれ連通する複数の導管と、
前記複数の導管と連通するとともに、背面ガス供給システムと連通するバルブシステムと、
前記上面にワークピースを保持するクランプ力を生成するために前記プラテン内に配置された１つ以上の電極と、
電極電源と、  
前記バルブシステムと通信して前記プラテンの前記上面への背面ガスの流れを変調するとともに、前記電極電源と通信して前記ワークピースに加えられるクランプ力を変調するコントローラと、
を備える、システム。
【請求項２】
前記電極電源は、第１のクランプ力を前記ワークピースに加えるための第１の電圧と、前記第１のクランプ力より低い第２のクランプ力を前記ワークピースに加えるための第２の電圧を出力する、請求項１に記載のシステム。
【請求項３】
前記バルブシステムは、背面ガスを第１の圧力レベルおよび前記第１の圧力レベルより低い第２の圧力レベルで供給するように構成されている、請求項２に記載のシステム。
【請求項４】
前記第１のクランプレベルが前記ワークピースに加えられているときに、前記第１の圧力レベルが供給される、請求項３に記載のシステム。
【請求項５】
前記第２のクランプ力は、前記第１のクランプ力の０％から５０％の間である、請求項２に記載のシステム。
【請求項６】
前記コントローラが、前記クランプ力および前記背面ガスの流れを１０Ｈｚ未満の周波数で変調する、請求項１に記載のシステム。
【請求項７】
コントローラによって実行されると、前記コントローラに、
プラテン上に配置されたワークピースに加えられるクランプ力を変調させる命令、および
前記プラテン上に前記ワークピースが配置されている間、前記プラテンの上面への背面ガスの流れを変調させる命令、
を含む、非一時的なコンピュータ可読記憶媒体。
【請求項８】
前記コントローラは電極電源と通信し、前記命令は、前記コントローラによって実行されると、前記電極電源に、第１のクランプ力を前記ワークピースに加えるために第１の電圧および前記第1のクランプ力より低い第２のクランプ力をワークピースに加えるために第２の電圧を出力させる、請求項７に記載の非一時的なコンピュータ可読記憶媒体。
【請求項９】
前記コントローラはバルブシステムと通信し、前記命令は、前記コントローラによって実行されると、前記バルブシステムに、背面ガスを第１の圧力レベルで、および前記第１の圧力レベルより低い第２の圧力レベルで供給させる、請求項８に記載の非一時的なコンピュータ可読記憶媒体。
【請求項１０】
前記命令は、前記コントローラによって実行されると、前記第１のクランプ力が前記ワークピースに加えられているときに前記第１の圧力レベルが供給されるようにする、請求項９に記載の非一時的なコンピュータ可読記憶媒体。
【請求項１１】
前記第２のクランプ力は、前記第１のクランプ力の０％から５０％の間である、請求項８に記載の非一時的なコンピュータ可読記憶媒体。
【請求項１２】
熱遷移中のワークピースへの損傷を最小限に抑える方法であって、
加熱されたプラテン上にワークピースを配置するステップと、
前記ワークピースが前記加熱されたプラテン上に配置されている間、クランプ力と前記加熱されたプラテンの上面への背面ガスの流れを変調するステップと、
前記ワークピースが目的の温度に達したとき、前記ワークピースを取り外すステップと、
を含む、方法。
【請求項１３】
前記クランプ力は、第１のクランプ力と該第１のクランプ力より低い第２のクランプ力との間で変調される、請求項１２に記載の方法。
【請求項１４】
前記背面ガスの流れが、第１の圧力レベルと該第１の圧力レベルより低い第２の圧力レベルとの間で変調される、請求項１３に記載の方法。
【請求項１５】
前記第１のクランプ力が前記ワークピースに加えられているときに、前記第１の圧力レベルが供給される、請求項１４に記載の方法。
【手続補正２】
【補正対象書類名】明細書
【補正対象項目名】０００８
【補正方法】変更
【補正の内容】
【０００８】
一実施形態によれば、熱遷移中のワークピースへの損傷を最小限に抑えるためのシステムが開示される。このシステムは、１つ以上の開口部を有する上面を備えるプラテンと、前記１つ以上の開口部のそれぞれとそれぞれ連通する複数の導管と、前記複数の導管と連通するとともに、背面ガス供給システムと連通するバルブシステムと、前記上面にワークピースを保持するクランプ力を生成するために前記プラテン内に配置された１つ以上の電極と、電極電源と、前記バルブシステムと通信して前記プラテンの前記上面への背面ガスの流れを変調するとともに、前記電極電源と通信して前記ワークピースに加えられるクランプ力を変調するコントローラと、を備える。特定の実施形態では、前記電極電源は、第１のクランプ力を前記ワークピースに加えるための第１の電圧と、前記第１のクランプ力より低い第２のクランプ力を前記ワークピースに加えるための第２の電圧を出力する。特定の実施形態では、前記バルブシステムは、背面ガスを第１の圧力レベルでおよび前記第１の圧力レベルより低い第２の圧力レベルで供給するように構成されている。特定の実施形態では、前記第１のクランプレベルが前記ワークピースに加えられているときに、前記第１の圧力レベルが供給される。いくつかの実施形態では、前記第２のクランプ力は、前記第１のクランプ力の０％から５０％の間である。いくつかの実施形態では、前記コントローラは、前記クランプ力および前記背面ガスの流れを１０Ｈｚ未満の周波数で変調する。
【国際調査報告】
2021501470.tif 000006
2021501470.tif 000007